(57)【要約】【課題】ユーザが携帯電話装置を紛失した際に、他人に重要なデータを見られることを回避する。【解決手段】制御部は、着信があると検出すると（Ｓ１ステップ）、着信音を送出し（Ｓ２ステップ）、留守録モードであり（Ｓ５ステップ）、所定回数の着信音が送出されたと判定すると（Ｓ６ステップ）、留守録音を開始し（Ｓ８ステップ）、メッセージの送出中に所定の暗証番号を受信したと判定すると（Ｓ９ステップ）、電話帳データを表示する指示操作があった際に、電話帳データを文字ばけ表示させる（Ｓ１４〜Ｓ１６ステップ）。【選択図】      図２
2004228633.tif 000002
【特許請求の範囲】
【請求項１】
文字データを格納する格納手段と、表示手段と、入力手段と、前記格納手段に格納されている文字データをユーザが識別不可能な文字データに変換する文字データ変換手段と、制御手段と、を有し、
前記制御手段は、前記入力手段から前記格納手段に格納されている文字データを表示するように指示する操作があると判定すると、前記格納手段に格納されている文字データを前記文字データ変換手段により、ユーザが識別不可能な文字データに変換し、前記表示手段に表示させることを特徴とする通信装置。
【請求項２】
文字データと暗証番号を格納する格納手段と、送受信手段と、表示手段と、入力手段と、前記格納手段に格納されている文字データをユーザが識別不可能な文字データに変換する文字データ変換手段と、制御手段と、を有し、
前記制御手段は、前記送受信手段が暗証番号を受信し、受信した暗証番号と一致する暗証番号が前記格納手段に格納されていると判定すると、通信装置を、前記入力手段から前記格納手段に格納されている文字データを表示するように指示する操作があると判定した際に、前記格納手段に格納されている文字データを前記文字データ変換手段によりユーザが識別不可能な文字データに変換し、前記表示手段に表示させる状態にすることを特徴とする通信装置。
【請求項３】
文字コードにより表現される文字データを格納する格納手段と、表示手段と、入力手段と、前記格納手段に格納されている文字コードを異なる文字コードに変換する文字コード変換手段と、文字コードを文字データに変換する文字データ変換手段と、制御手段と、を有し、
前記制御手段は、前記入力手段から前記格納手段に格納されている文字データを表示するように指示する操作があると判定すると、前記格納手段に格納されている文字コードを前記文字コード変換手段により異なる文字コードに変換した後に、変換した文字コードを前記文字データ変換手段により文字データに変換し、前記表示手段に表示させることを特徴とする通信装置。
【請求項４】
文字コードにより表現される文字データと暗証番号を格納する格納手段と、送受信手段と、表示手段と、入力手段と、前記格納手段に格納されている文字コードを異なる文字コードに変換する文字コード変換手段と、該文字コード変換手段により変換された文字コードを文字データに変換する文字データ変換手段と、制御手段と、を有し、
前記制御手段は、前記送受信手段が暗証番号を受信し、受信した暗証番号と一致する暗証番号が前記格納手段に格納されていると判定すると、通信装置を、前記入力手段から前記格納手段に格納されている文字データを表示するように指示する操作がある際に、前記格納手段に格納されている文字コードを前記文字コード変換手段により異なる文字コードに変換した後に、変換した文字コードを前記文字データ変換手段により文字データに変換し、前記表示手段に表示させることを特徴とする通信装置。
【請求項５】
請求項３〜４記載の通信装置であり、
前記文字コード変換手段は、前記格納手段に格納されている文字コードの数値を他の数値に変換することを特徴とする通信装置。
【請求項６】
請求項３〜４記載の通信装置であり、
前記文字コード変換手段は、前記格納手段に格納されている文字コードの一部を削除することを特徴とする通信装置。
【発明の詳細な説明】
【０００１】
【発明の属する技術分野】
本発明は、通信装置に関するものである。
【０００２】
【従来の技術】
近年、通話機能やメール機能以外の多くの機能を搭載した携帯電話装置が製品化されており、例えば、ＣＣＤ（Ｃｈａｒｇｅ  Ｃｏｕｐｌｅｄ  Ｄｅｖｉｃｅ）を搭載したカメラ付き携帯電話装置が製品化されている。
【０００３】
又、携帯電話装置を用いてＡＴＭから現金の引き出しや入金を行う技術が提案されており（文献１、第３ページ右欄第１７行〜第４１行及び図１参照）、近年の携帯電話装置では、実際にバンキング処理を行うことが可能なものも製品化されている。
【０００４】
しかし、このように便利な携帯電話装置も、紛失や盗難により他人に悪用される可能性があり、ユーザが携帯電話装置を紛失した場合には、通信事業者のサービスセンターへ電話をかけ、携帯電話装置の使用を停止してもらえばよい。
【０００５】
【特許文献１】
特開平２００１−２９７１９８号公報
【０００６】
【発明が解決しようとする課題】
しかし、ユーザがサービスセンターへ電話をかけ、携帯電話装置の使用を停止しても、携帯電話装置の電話帳メモリに格納されている個人データ（例えば、氏名、電話番号、メールアドレス、血液型、誕生日等）を他人に見られる可能性がある。又、携帯電話装置を紛失する前に電話帳メモリの閲覧ができないようにキーロックをかけておけばこのような問題が回避できるかもしれないが、ユーザが電話帳メモリを閲覧する為に一々キーロック状態の解除操作を行うことは非常に面倒である。
【０００７】
【課題を解決するための手段】
請求項１記載の通信装置は、文字データを格納する格納手段と、表示手段と、入力手段と、前記格納手段に格納されている文字データをユーザが識別不可能な文字データに変換する文字データ変換手段と、制御手段と、を有し、前記制御手段は、前記入力手段から前記格納手段に格納されている文字データを表示するように指示する操作があると判定すると、前記格納手段に格納されている文字データを前記文字データ変換手段により、ユーザが識別不可能な文字データに変換し、前記表示手段に表示させることを特徴とする。
【０００８】
請求項２記載の通信装置は、文字データと暗証番号を格納する格納手段と、送受信手段と、表示手段と、入力手段と、前記格納手段に格納されている文字データをユーザが識別不可能な文字データに変換する文字データ変換手段と、制御手段と、を有し、前記制御手段は、前記送受信手段が暗証番号を受信し、受信した暗証番号と一致する暗証番号が前記格納手段に格納されていると判定すると、通信装置を、前記入力手段から前記格納手段に格納されている文字データを表示するように指示する操作があると判定した際に、前記格納手段に格納されている文字データを前記文字データ変換手段によりユーザが識別不可能な文字データに変換し、前記表示手段に表示させる状態にすることを特徴とする。
【０００９】
請求項３記載の通信装置は、文字コードにより表現される文字データを格納する格納手段と、表示手段と、入力手段と、前記格納手段に格納されている文字コードを異なる文字コードに変換する文字コード変換手段と、文字コードを文字データに変換する文字データ変換手段と、制御手段と、を有し、前記制御手段は、前記入力手段から前記格納手段に格納されている文字データを表示するように指示する操作があると判定すると、前記格納手段に格納されている文字コードを前記文字コード変換手段により異なる文字コードに変換した後に、変換した文字コードを前記文字データ変換手段により文字データに変換し、前記表示手段に表示させることを特徴とする。
【００１０】
請求項４記載の通信装置は、文字コードにより表現される文字データと暗証番号を格納する格納手段と、送受信手段と、表示手段と、入力手段と、前記格納手段に格納されている文字コードを異なる文字コードに変換する文字コード変換手段と、該文字コード変換手段により変換された文字コードを文字データに変換する文字データ変換手段と、制御手段と、を有し、前記制御手段は、前記送受信手段が暗証番号を受信し、受信した暗証番号と一致する暗証番号が前記格納手段に格納されていると判定すると、通信装置を、前記入力手段から前記格納手段に格納されている文字データを表示するように指示する操作がある際に、前記格納手段に格納されている文字コードを前記文字コード変換手段により異なる文字コードに変換した後に、変換した文字コードを前記文字データ変換手段により文字データに変換し、前記表示手段に表示させることを特徴とする。
【００１１】
請求項５記載の通信装置は、請求項３〜４記載の通信装置であり、前記文字コード変換手段は、前記格納手段に格納されている文字コードの数値を他の数値に変換することを特徴とする。
【００１２】
請求項６記載の通信装置は、請求項３〜４記載の通信装置であり、前記文字コード変換手段は、前記格納手段に格納されている文字コードの一部を削除することを特徴とする。
【００１３】
【発明の実施の形態】
以下、本発明を適用してなる実施例装置について説明する。
【００１４】
本発明を適用してなる実施例装置は、着信時に予め格納されている暗証番号と一致する暗証番号を受信した後に、電話帳メモリに格納されているデータの表示操作があると、文字化けしたデータを表示させるものである。
【００１５】
このような構成とすることにより、携帯電話装置を紛失したり盗難にあった際に、自身の携帯電話装置の電話帳メモリのデータを他人に知られることがない。
【００１６】
図１は、本発明を適用してなる実施例装置である携帯電話装置のブロック図である。
【００１７】
図１において、通信部１は、後述するベースバンド部３からの信号をアンテナ２を介して基地局へ発信したり、アンテナ２を介して基地局からの電波を受信したりする。
【００１８】
ベースバンド部３は、ＣＤＭＡ（Ｃｏｄｅ  Ｄｉｖｉｓｉｏｎ  Ｍｕｉｔｉｐｌｅ  Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１９】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００２０】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００２１】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御する。又、制御回路１１は、後述する第２格納部１３に格納されている、例えば１文字（或いは１単語）につき７ビットの数値で表されるデータを英語や日本語等の文字データに変換する所謂キャラクタジェネレータの機能を有すると共に、後述する第２格納部１３に格納されている電話帳データを文字化けさせ後述する表示部１５に表示させる機能を有している。
【００２２】
第２格納部１３は、例えばＳＲＡＭ（Ｓｔａｔｉｃ  Ｒａｎｄｕｍ  Ａｃｃｅｓｓ  Ｍｅｍｏｒｙ）からなり、電話帳データを格納可能である、即ち、相手側の氏名と、該氏名に対応する電話番号とメールアドレスと相手側の血液型や誕生日等の個人情報を複数格納可能である。
【００２３】
又、前記氏名等の文字データの１文字は、例えば、７ビットのデータからなるＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コードや、８ビットのデータからなるＪＩＳ（Ｊａｐａｎ  Ｉｎｄｕｓｔｒｉａｌ  Ｓｔａｎｄａｒｄ）コード等の文字コードで表現される。
【００２４】
尚、第２格納部１３は、電話帳データの閲覧操作がある際に電話帳データを文字化けした状態で表示させることを示すフラグ（文字化け状態フラグ）と、留守録モード（着信があれば自動的に回線を接続し応答メッセージを送信すると共に発呼側からの用件メッセージを格納するモード）であるか否かを示す情報も格納する。
【００２５】
第３格納部１３は、用件メッセージを格納する。
【００２６】
表示部１５は、電話番号や相手先の氏名等を表示する。  入力部１６は、通話キー、切キー、テンキー、電源キー、機能キー、メール開始キー等の各種キーからなる。
【００２７】
次に本実施例装置の動作について説明する。
【００２８】
図２は、本実施例装置の動作を示すフロー図である。
【００２９】
図２のＳ１ステップにおいて、制御回路１１は、ベースバンド部３から着信があることを示す信号を検出するとＳ２ステップへ処理を進める。
【００３０】
Ｓ２ステップでは、制御回路１１は、スピーカ８から着信音を出力させ、Ｓ３ステップへ処理を進める。
【００３１】
Ｓ３ステップでは、制御回路１１は、ユーザが着信に応答したか否かを判定する。具体的には、制御回路１１は、入力部１７から通話キーが押下されたことを示す信号を検出するとＳ４ステップへ処理を進め、そうでなければＳ５ステップへ処理を戻す。
【００３２】
Ｓ４ステップでは、制御回路１１は、通話処理を行う。具体的には、制御回路１１は、通信部１とベースバンド部３と切換回路１０を制御することにより、受信した相手側からの音声信号をスピーカ４から出力すると共にマイク６で検出された音声信号をアンテナ２から出力する。通話処理が終了すると、制御回路１１は、前記ベースバンド部３を制御することにより回線を切断し、Ｓ１ステップへ処理を戻す。
【００３３】
Ｓ５ステップでは、制御回路１１は、携帯電話装置が留守録モードであるか否かを判定する。具体的には、制御回路１１は、第２格納部１３に留守録モードがオンであることを示す情報が格納されていると判定するとＳ６ステップへ処理を進め、そうでなければＳ１ステップへ処理を進める。
【００３４】
Ｓ６ステップでは、制御回路１１は、所定回数の着信音を出力したと判定すると、Ｓ１ステップへ処理を戻し、そうでなければ、Ｓ７ステップへ処理を進める。
【００３５】
Ｓ７ステップでは、制御回路１１は、通信部１とベースバンド部３を制御することにより回線を捕捉し、Ｓ８ステップへ処理を進める。
【００３６】
Ｓ８ステップでは、制御回路１１は、第２格納部１３に格納されている音声メッセージ（例えば、只今電話に出られません、発信音の後にメッセージを入れてください。）を読み出し、ベースバンド部３と通信部１を制御することにより、前記音声メッセージを相手側へ送信させ、続いて発呼側からのメッセージを第２格納部１３に格納開始する。
【００３７】
続くＳ９ステップでは、制御回路１１は、通信部１とベースバンド部３を介して相手側から４桁の暗証番号（例えば、１２３４）を受信したと判定すると、一致する暗証番号が第２格納部１３に格納されているか否か検索し、一致する番号が格納されていると判定するとＳ１２ステップへ処理を進め、そうでなければＳ１０ステップへ処理を進める。
【００３８】
Ｓ１０ステップでは、制御回路１１は、発呼側からのメッセージの格納が終了したと判定するとＳ１１ステップへ処理を進め、そうでなければ、Ｓ９ステップへ処理を戻す。
【００３９】
Ｓ１１ステップでは、制御回路１１は、通信部１とベースバンド部３を制御することにより回線を切断し、Ｓ１ステップへ処理を戻す。
【００４０】
Ｓ１２ステップでは、制御回路１１は、携帯電話装置を、入力部１６から第２格納部１２に格納されている電話帳データを表示する指示操作があった場合でも、電話帳データを文字化けした状態で表示させる状態にする。具体的には、制御回路１１は、第２格納部１３に格納されている、今後電話帳データを文字化けした状態で表示させることを示すフラグ（文字化け状態フラグ）をオンする。
【００４１】
続くＳ１３ステップでは、制御回路１１は、通信部１とベースバンド部３を制御することにより回線を切断し、Ｓ１４ステップへ処理を進める。
【００４２】
Ｓ１４ステップでは、制御回路１１は、入力部１６から何らかの操作指示があると判定するとＳ１５ステップへ処理を進め、そうでなければＳ１ステップへ処理を戻す。
【００４３】
Ｓ１５ステップでは、制御回路１１は、前記Ｓ１４ステップにおける操作指示が電話帳データの閲覧操作であると判定するとＳ１６ステップへ処理を進め、そうでなければＳ１７ステップへ処理を進める。
【００４４】
Ｓ１６ステップでは、制御回路１１は、第２格納部１３に格納されている電話帳データを文字化けさせて表示部１５に表示させる。具体的には、制御回路１１は、７ビットのＡＳＣＩ１コードを７ビット全てランダムに異なる数値に変換した後に、文字データに変換し、表示部１５に表示させ、Ｓ１ステップへ処理を戻す。
【００４５】
尚、前記Ｓ１６ステップにおいて、ＡＳＣＩＩコードの７ビット中の数ビットのみ（例えば、１ビットのみ）をランダムに異なる数値に変換した後に文字データに変換したり、或いは、１ビット分データを抜けた状態にした数値データを文字データに変換しても良い。
【００４６】
このようなランダムな数値変換や削除による文字コード変更は、プログラム作成が容易であり短時間で処理することができる。
【００４７】
尚、電話帳データを表示する際に文字ばけさせて表示するが、第２格納部１３に格納している電話帳データは変更されない。
【００４８】
Ｓ１７ステップでは、制御回路１１は、前記Ｓ１４ステップで検出した操作指示が、文字化け表示を行うことを解除する為の操作（例えば、４桁の暗証番号の入力）であると判定すると、Ｓ１８ステップへ処理を進め、そうでなければＳ１９ステップへ処理を進める。
【００４９】
Ｓ１８ステップでは、制御回路１１は、文字化けした状態で表示することを解除すると共に、解除操作以外のキー入力を受け付けるようになる。具体的には、制御回路１１は、第２格納部１３に格納されている、今後電話帳データを文字化けした状態で表示させることを示すフラグ（文字化け状態フラグ）をオフし、Ｓ１ステップへ処理を戻す。
【００５０】
Ｓ１９ステップでは、制御回路１１は、文字化け表示を行うことを解除する為の操作（例えば、４桁の暗証番号の入力）以外のキー入力を禁止し、Ｓ１４ステップへ処理を戻す。
【００５１】
以上説明したように、本実施例装置では、電話帳データを表示部１５に表示する際に、文字データを化けさせた状態で表示する為、携帯電話装置が他人の手に渡った際に他人に電話帳データを見られることを回避することが可能である。
【００５２】
尚、本実施例では、文字ばけさせるデータを電話帳データとしたが、例えば、紛失した携帯電話装置の電話番号やメールアドレス等の他のデータを文字化けさせても良い。
【００５３】
更に、電話帳データを文字化け表示している際に、電話帳データを修正又は消去する操作が行われたとしても、その操作を無効とするようにしても良い。このような構成とすることにより、電話帳データを他人に見られることを回避できるだけでなく、他人に電話帳データを消去されたり変更されることを回避することができる。
【００５４】
【発明の効果】
本発明の通信装置は、他人に電話帳データを見られることを回避することを可能にする。
【図面の簡単な説明】
【図１】本発明を適用してなる実施例装置のブロック図である。
【図２】本実施例装置の動作を示すフロー図である。
【符号の説明】
１  通信部
３  ベースバンド部
１３  第２格納部
１５  表示部
１６  入力部
【図１】
2004228633.tif 000003
【図２】
2004228633.tif 000004